(57)【要約】【課題】不要なＩＤ情報の消去をハードウエア的に保証することにより利用者に安心感を与えることのできる錠制御装置の提供を目的とする。【解決手段】工事業者用コードおよび居住者用コードの２種類の認証コードを分別管理して格納するコード記憶部１と、  認証コード取得部２から取得した認証対象コードと前記コード記憶部１内の認証コードとの一致を条件に認証成立信号を出力する認証部３と、  認証部３からの認証成立信号の出力を条件に電気錠４のアクチュエータに錠操作信号を出力する錠駆動部５と、  所定条件充足時にコード記憶部１に認証コードを登録する登録部６と、  登録部６における居住者用コードの登録に際し、登録済み全工事業者用コードを強制消去する登録制御部７とを有して構成する。【選択図】  図１
2010127019.tif 000002
【特許請求の範囲】
【請求項１】
工事業者用コードおよび居住者用コードの２種類の認証コードを分別管理して格納するコード記憶部と、
認証コード取得部から取得した認証対象コードと前記コード記憶部内の認証コードとの一致を条件に認証成立信号を出力する認証部と、
認証部からの認証成立信号の出力を条件に電気錠のアクチュエータに錠操作信号を出力する錠駆動部と、
所定条件充足時にコード記憶部に認証コードを登録する登録部と、
登録部における居住者用コードの登録に際し、登録済み全工事業者用コードを強制消去する登録制御部と、
を有する錠制御装置。
【請求項２】
前記コード記憶部に記憶されている認証コード種に対応した表示を行うコード種別表示部を備えた請求項１記載の錠制御装置。
【請求項３】
前記コード種別表示部は稼働状態表示を兼ねる請求項２記載の錠制御装置。
【発明の詳細な説明】
【技術分野】
【０００１】
本発明は、錠制御装置に関するものである。
【背景技術】
【０００２】
ユーザＩＤに加えて工事業者ＩＤ、管理者用ＩＤを設定し、運用状態によって使い分けるようにした錠制御装置としては、特許文献１に記載のものが知られている。この従来例において錠制御装置は、工事業者、および管理者用ＩＤを格納する管理用ＩＤ記憶部と、ユーザＩＤを格納する居住者用ＩＤ記憶部とを有して構成される。
【０００３】
管理用ＩＤ記憶部内のＩＤは、居住者用ＩＤ記憶部のＩＤ格納がないことを条件に認証に使用され、居住者が変わった場合、居住者用ＩＤを消去するだけで、改めて管理用ＩＤを設定することなく引き続き従前の管理用ＩＤを使用した施解錠操作が可能になる。
【特許文献１】特開２００３-３７０８号公報
【発明の開示】
【発明が解決しようとする課題】
【０００４】
しかし、上述した従来例において、居住者用ＩＤの消去を条件とするものの、施解錠操作が可能なＩＤが装置内部に設定されたままであることは、居住者に不安を与えるという欠点がある。
【０００５】
本発明は、以上の欠点を解消すべくなされたものであって、不要なＩＤ情報の消去をハードウエア的に保証することにより利用者に安心感を与えることのできる錠制御装置の提供を目的とする。
【課題を解決するための手段】
【０００６】
本発明によれば上記目的は、
工事業者用コードおよび居住者用コードの２種類の認証コードを分別管理して格納するコード記憶部１と、
認証コード取得部２から取得した認証対象コードと前記コード記憶部１内の認証コードとの一致を条件に認証成立信号を出力する認証部３と、
認証部３からの認証成立信号の出力を条件に電気錠４のアクチュエータに錠操作信号を出力する錠駆動部５と、
所定条件充足時にコード記憶部１に認証コードを登録する登録部６と、
登録部６における居住者用コードの登録に際し、工事業者用コードを強制消去する登録制御部７と、
を有する錠制御装置を提供することにより達成される。
【０００７】
錠制御装置は、認証コード取得部２から取得した認証対象コードの認証部３における認証成立を条件に電気錠４を操作するように構成され、認証対象コードに対する認証にはコード記憶部１内に記憶された認証コードが使用される。認証コード取得部２は、生体認証装置、利用者が所持する携帯器が発信するＩＤ信号の受信装置、暗証番号入力装置、あるいはＲＦ-ＩＤの読取装置として構成することができる。
【０００８】
コード記憶部１への認証コードの格納は登録部６において行われ、登録された認証コードは、新築時の家屋の引き渡し前に内装業者等の工事業者により使用される工事業者用コードと、引き渡し後に居住者により使用される居住者用コードとに分けて管理される。登録制御部７は、登録対象の認証コードのコード種を監視し、当該認証コードが居住者用コードである場合には、工事業者用コードを強制消去し、２種の認証コードの併存をハードウエア的に規制する。
【０００９】
したがってこの発明において、例えば施主に家屋が引き渡され、居住者が施解錠制御のために居住者用コードを登録すると、何等の消去作業を要することなく自動的に工事業者用コードが消去され、以後、工事業者用コードによる錠操作が不可能となるために、利用者に安心感を与えることができる。
【００１０】
また、錠制御装置にコード記憶部１に記憶されている認証コード種に対応した表示を行うコード種別表示部８を設けると、居住者が目視で登録状態を確認できるために、より安心感を高めることができる。
【発明の効果】
【００１１】
本発明によれば、不要なＩＤ情報の消去をハードウエア的に保証することができるために、利用者に安心感を与えることができる。
【発明を実施するための最良の形態】
【００１２】
図１に示すように、錠制御装置は、ドアの室外側壁面等に設置される入力装置９と、ドア内、あるいは室内に設置されるコントローラ１０とを有し、入力装置９から取得した認証対象コードをコントローラ１０で認証し、認証成立時に電気錠４を駆動するように構成される。
【００１３】
なお、図１においては、錠制御装置を各々異なった装置筺体に収容されるコントローラ１０と入力装置９に分離する場合が示されているが、双方を同一の装置筺体に収容したり、あるいはこれらをさらに分割する等、適宜の変形が可能である。
【００１４】
錠制御装置の運用は、登録用、工事業者用、および居住者用として区別された３種類の非接触ＩＣカード（ＩＤカード１１）を使用して行われ、認証対象コードには当該ＩＤカード１１に設定された固有のＩＤが使用される。これらＩＤは、入力装置９内の制御部（ＣＰＵ９ａ）に接続された認証コード取得部２としての読取部により読み取られ、通信部９ｂを介してコントローラ１０に出力される。
【００１５】
また、入力装置９には後述するコード記憶部１に記憶されているコード種別を表示するためのコード種別表示部８と、施解錠状態を表示するための施解錠状態表示部１２、動作確認信号音を発呼するためのブザー１３、およびこのブザーを駆動するブザー出力回路１４を有する。コード種別表示部８はＬＥＤ出力回路１５により点滅制御される赤色ＬＥＤ８ａと緑色ＬＥＤ８ｂとを図外のプリント基板に接近して実装し、単一の導光部材、あるいはレンズを通して装置筐体外から目視することができるように配置され、外部には、いずれか一方のみを点灯した赤色、緑色、および双方を点灯した黄色が表示される。
【００１６】
また、施解錠状態表示部１２は、装置筐体に表示された解錠マーク、あるいは施錠マークに各々近接して配置される解錠表示ＬＥＤ１２ａと施錠表示ＬＥＤ１２ｂからなり、電気錠４の施解錠状態に対応していずれか一方が排他的に点灯される。
【００１７】
一方、コントローラ１０は、バスライン１０ａを介して制御部（ＣＰＵ１０ｂ）に接続され、該ＣＰＵ１０ｂにより動作が制御される認証部３とコード記憶部１とを有する。コード記憶部１には、居住者用コード、工事業者用コード、および登録用コードが種別を特定することができるように登録される。
【００１８】
認証部３は、通信部１０ｃを経由して入力装置９から取得した認証対象コードをコード記憶部１内のコードと比較し、一致する場合にはＣＰＵ１０ｂに認証成立信号を出力し、当該信号を受領したＣＰＵ１０ｂは登録カードに対する認証成立である場合には登録部６を起動し、それ以外の場合には錠駆動部５に駆動信号をセットする。錠駆動部５への駆動信号のセットによって電気錠４の図外のアクチュエータに駆動電力が供給され、所望の施解錠操作が行われる。
【００１９】
登録部６は、上記認証部３での登録カードの認証を条件に起動され、コード記憶部１への新たなＩＤカード１１の登録を行う。ＩＤカード１１の登録は、登録モード下で登録対象カードを読取部２に翳すことにより行われる。
【００２０】
登録制御部７は、登録部６での登録操作が居住者用コードに対するものであるときに、起動され、コード記憶部１に登録されている工事業者用コードを強制消去する。
【００２１】
以上のように構成される錠制御装置の動作を図２以下のフローチャートを使用して説明する。まず、電源が投入されると、待機ルーチンが実行される。待機ルーチンにおいてコントローラ１０はコード記憶部１を検索し、現在登録されている認証コードの種別を検出し（ステップ１０１）、工事業者用コードが検索された場合、入力装置９のＬＥＤ出力回路１５に緑色ＬＥＤ８ｂの点灯信号を出力し、コード種別表示部８に緑色の点灯色を表示する（ステップ１０２）。また、ステップ１０１で居住者用コードが登録されていると、コード種別表示部８は黄色に（ステップ１０３、工事業者用コード、および居住者用コードの双方が登録されていない場合には、赤色に点灯される（ステップ１０４）。
【００２２】
上述した待機ルーチン中に読取部２が所定の読み取り可能なＩＤカード１１を検出し（ステップ１０５）、当該ＩＤカード１１が登録カードである場合には登録モードへのモード変更が行われる（ステップ１０６）。また、検出されたＩＤカード１１が認証部３において居住者用カード（ステップ１０８）、あるいは工事業者用カード（ステップ１０９）として認証された場合には、ＩＤ取得時の要求動作に応じて錠駆動部５に施解錠駆動信号をセットし、電気錠４を施解錠動作させた後（ステップ１１０）、待機ルーチンに復帰する。
【００２３】
また、ステップ１０５において読み取り可能なＩＤカード１１が検出されたにもかかわらず、認証部３での認証が成立しなかった場合には、システムでの運用ＩＤカード１１でないことを操作者に知らせるために、エラー処理を行った後（ステップ１１１）、待機ルーチンに復帰する。この実施の形態においてエラー処理は、ブザー１３から予め設定されたエラー音を出力するとともに、解錠表示ＬＥＤ１２ａを点滅して行われる。
【００２４】
ステップ１０６で移行した登録モードにおいては、登録部６によるコード記憶部１でのコード抹消と、新たな認証コードの登録操作を行うことができ、登録モード状態の維持時間を制限するために、まず、タイマをスタートさせた後（ステップ２０１）、登録モードにモード変更した旨の通知処理が行われる（ステップ２０２）。モード変更通知処理は、予め設定されたエラー音をブザーから出力するとともに、コード種別表示部８を緑色と黄色に交互点滅させることにより行われる。
【００２５】
登録モードにおける認証用コードの抹消処理の選択は、登録モード移行から所定時間（この実施の形態においては５秒間）登録カードを読取部２に翳して行われ（ステップ２０３）、登録カードが時間内に外された後、タイムアップ前に新たなＩＤカード１１が読取部２に翳された場合に認証用コードの新規登録処理が行われる（ステップ２０４）。
【００２６】
これに対し、登録モード継続中に新たなＩＤカード１１が読取部２に翳されなかった場合には（ステップ２０５）、コード記憶部１内に登録されている認証コードの種別を検出し（ステップ２０６）、工事業者用コードが格納されている場合には、工事業者用コード登録済み信号が（ステップ２０７）、居住者用コードが格納されている場合には居住者用コード登録済み信号が出力され（ステップ２０８）、この後待機ルーチンに復帰する。この実施の形態において、工事業者用コード登録済み信号の出力は、予め設定されたブザー音と、施錠表示ＬＥＤ１２ｂの点灯により行われ、居住者用コード登録済み信号のそれは、所定のブザー音と施錠表示ＬＥＤ１２ｂの点滅により行われる。
【００２７】
一方、ステップ２０４で読取部２が新たな読み取り可能なＩＤカード１１を検出し、検出したＩＤカード１１が登録カードである場合（ステップ３０１、３０２）、制御はステップ２０６に移行し、終了準備ルーチンが実行される。
【００２８】
またステップ２０４で翳されたＩＤカード１１が居住者用カードである場合にはコード記憶部１内に既に登録限度数（本実施の形態においてはＮ=２０）の認証用コードが登録済みであるかどうかを検出し（ステップ３０３）、登録スペースがある場合、すなわち、登録済みコードが２０未満である場合には、重複登録を避けるために、まず翳されたＩＤカード１１が登録済みでないことを確認した後（ステップ３０４）、コード記憶部１の居住者用コード格納領域に居住者用コードを追加登録する（ステップ３０５）。
【００２９】
登録部６におけるコード記憶部１への居住者用コードが登録されると、登録制御部７はコード記憶部１の工事業者用コードの格納領域にアクセスして全工事業者用コードを消去し（ステップ３０６）、次いで、操作者に対して登録ＯＫ通知を出力する（ステップ３０７）。登録ＯＫ通知は、ブザー吹鳴と、施錠表示ＬＥＤ１２ｂの点灯によって行われる。
【００３０】
登録終了に伴って、さらに、新たな登録モード下の処理を行うために、一旦タイマをクリアして新たなタイマをスタートさせ（ステップ３０８）、次いで操作者に対する登録モード再開通知を出力した後（ステップ３０９）、カード検出ステップ（ステップ２０４）に移行する。登録モード再開通知は、所定のブザー音出力と、コード種別表示部８の緑色と黄色への交互点滅により行われる。
【００３１】
一方、ステップ３０３で登録済みカード枚数が所定枚数以上である場合、あるいはステップ３０４で翳されたＩＤカード１１が登録済みのものである場合には、操作者に対する処理ＮＧ通知を出力した後（ステップ３１３）、新たなＩＤカード１１登録の準備ステップ（ステップ３０８）に移行する。
【００３２】
これに対し、ステップ３０１で読取部２に翳された登録カードでも居住者用カードでない場合には、工事業者用カードか否かを判定し（ステップ３１１）、工事業者用カードでもない場合には処理ＮＧ通知処理（ステップ３１３）を実行する。また、ステップ３１１で工事業者用カードと判定された場合、コード記憶部１に居住者用コードが登録されているか否かを判定し（ステップ３１２）、登録済みである場合、居住者用コードと工事業者用コードとの排他登録を保証するために、処理ＮＧ通知処理（ステップ３１３）を実行する。
【００３３】
一方、ステップ３１２で居住者用コードが未登録の場合、工事業者用コードをコード記憶部１に登録した後（ステップ３１３）、操作者への登録ＯＫ通知処理を行い（ステップ３１４）、次いで、新たなＩＤカード１１登録の準備ステップ（ステップ３０８）に移行する。
【００３４】
さらに、図３のステップ２０３で登録抹消処理が選択された場合、図５の登録抹消ルーチンが実行される。登録抹消ルーチンの開始に先立って、まず、抹消操作時間を制限するための計時を開始し（ステップ４０１）、次いで、抹消操作を操作者に促す削除操作開始通知信号を出力する（ステップ４０２）。削除操作開始通知は、所定の警報音の出力と、コード種別表示部８を黄色、赤色に交互に点滅することにより行われる。
【００３５】
登録抹消の実行は、翳していた登録カードを読取部２から離した後、再び読取部２に翳すことにより行われ、所定時間内に読取部２が登録カードの交信エリアからの離脱を検知しなかった場合（ステップ４０３、４０４）、待機ルーチンに復帰する。これに対し、ステップ４０３において登録カードが離れると、所定時間内に読取部２が再び登録カードを検出したか否かを判定し（ステップ４１０）、所定時間内に登録カードが検出されなかった場合には待機ルーチンに復帰し（ステップ４１１）、検出された際には、居住者用コードと工事業者用コードの全てを抹消し（ステップ４１２）、次いで登録抹消完了通知を操作者に発行した後（ステップ４１３）、待機ルーチンに復帰する。
【００３６】
登録抹消完了通知は、所定ビープ音と、解錠表示ＬＥＤ１２ａ、および施錠表示ＬＥＤ１２ｂの点灯に加えて、コード種別表示部８を黄色に点灯することにより行われる。
【図面の簡単な説明】
【００３７】
【図１】本発明の機能ブロック図である。
【図２】錠制御装置の動作を示すフローチャートである。
【図３】登録モードにおける動作を示すフローチャートである。
【図４】図３から分岐した動作を示すフローチャートである。
【図５】登録抹消モードにおける動作を示すフローチャートである。
【符号の説明】
【００３８】
１        コード記憶部
２        認証コード取得部
３        認証部
４        電気錠
５        錠駆動部
６        登録部
７        登録制御部
８        コード種別表示部
【図１】
2010127019.tif 000003
【図２】
2010127019.tif 000004
【図３】
2010127019.tif 000005
【図４】
2010127019.tif 000006
【図５】
2010127019.tif 000007